(57)【要約】  異なる操作権限のアプリケーション間のログイン制御のユーザーに対する遮蔽の技術的効果を実現すべく、アプリケーションログイン制御方法、サービス端末及びコンピュータ読み取り可能な記憶媒体を提供する。本願は、アプリケーションログイン制御方法を開示し、該方法は、ユーザーがポータルシステムにログインして該ポータルシステムの第１のアプリケーションにアクセスする時、該ユーザーの前記第１のアプリケーションにおける第１の権限制御情報を取得するステップと、該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバに伝達し、且つ前記第２のアプリケーションサーバが前記ポータルシステムから伝達された第２の認証キーに基づいて該ユーザーの前記第２のアプリケーションにおける操作権限を認証する認証結果を受信するステップと、該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行するステップと、を含む。
2019523465.tif 000002
【特許請求の範囲】
【請求項１】
サービス端末であって、記憶装置と、プロセッサと、前記記憶装置に記憶され且つ前記プロセッサに実行可能なアプリケーションログイン制御システムと、を含み、前記アプリケーションログイン制御システムが前記プロセッサによって実行される時に、
ユーザーがポータルシステムにログインして該ポータルシステムの第１のアプリケーションにアクセスする時、該ユーザーの前記第１のアプリケーションにおける第１の権限制御情報を取得するステップと、
該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバに伝達し、且つ前記第２のアプリケーションサーバが前記ポータルシステムから伝達された第２の認証キーに基づいて該ユーザーの前記第２のアプリケーションにおける操作権限を認証する認証結果を受信するステップと、
該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行するステップと、
を実現することを特徴とするサービス端末。
【請求項２】
前記ポータルシステムは、前記第１のアプリケーションに対応する第１のアプリケーションサーバから該ユーザーの前記第１のアプリケーションにおける第１の権限制御情報を取得し、且つ前記第２のアプリケーションに対応する第２のアプリケーションサーバから該ユーザーの前記第２のアプリケーションにおける第２の権限制御情報を取得し、且つ該ユーザーの前記第２のアプリケーションにおける第２の権限制御情報が、該ユーザーの前記第１のアプリケーションにおける第１の権限制御情報と異なる
ことを特徴とする請求項１に記載のサービス端末。
【請求項３】
前記ポータルシステムと前記第１のアプリケーションとの間に第１の認証キーが予め設定され、前記ポータルシステムと前記第２のアプリケーションとの間に第２の認証キーが予め設定され、且つ前記第１の認証キーが前記第２の認証キーと異なる
ことを特徴とする請求項１に記載のサービス端末。
【請求項４】
前記第２のアプリケーションサーバに前記第２の認証キーのバックアップが記憶され、前記ポータルシステムから伝達された第２の認証キーが前記第２のアプリケーションサーバに記憶されている前記第２の認証キーのバックアップと同じであれば、該ユーザーの前記第２のアプリケーションにおける操作権限の認証が通過すると決定する
ことを特徴とする請求項１に記載のサービス端末。
【請求項５】
前記第２のアプリケーションサーバに前記第２の認証キーのバックアップが記憶され、前記ポータルシステムから伝達された第２の認証キーが前記第２のアプリケーションサーバに記憶されている前記第２の認証キーのバックアップと同じであれば、該ユーザーの前記第２のアプリケーションにおける操作権限の認証が通過すると決定する
ことを特徴とする請求項２に記載のサービス端末。
【請求項６】
前記第２のアプリケーションサーバに前記第２の認証キーのバックアップが記憶され、前記ポータルシステムから伝達された第２の認証キーが前記第２のアプリケーションサーバに記憶されている前記第２の認証キーのバックアップと同じであれば、該ユーザーの前記第２のアプリケーションにおける操作権限の認証が通過すると決定する
ことを特徴とする請求項３に記載のサービス端末。
【請求項７】
前記アプリケーションログイン制御システムが前記プロセッサによって実行される時に、
該ユーザーが前記ポータルシステムの第２のアプリケーションから第１のアプリケーションに切り替える時、前記ポータルシステムは、前記ポータルシステムと第１のアプリケーションとの間の第１の認証キーを前記第１のアプリケーションに対応する第１のアプリケーションサーバに伝達するステップと、
前記ポータルシステムから伝達された第１の認証キーが前記第１のアプリケーションサーバに記憶されている前記第１の認証キーのバックアップと同じであれば、該ユーザーの前記第１のアプリケーションにおける操作権限の認証が通過すると決定するステップと、
をさらに実現することを特徴とする請求項４乃至６のいずれか一項に記載のサービス端末。
【請求項８】
アプリケーションログイン制御方法であって、サービス端末に適用され、
ユーザーがポータルシステムにログインして該ポータルシステムの第１のアプリケーションにアクセスする時、該ユーザーの前記第１のアプリケーションにおける第１の権限制御情報を取得することと、
該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバに伝達し、且つ前記第２のアプリケーションサーバが前記ポータルシステムから伝達された第２の認証キーに基づいて該ユーザーの前記第２のアプリケーションにおける操作権限を認証する認証結果を受信することと、
該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行することと、
を含むことを特徴とするアプリケーションログイン制御方法。
【請求項９】
前記ポータルシステムは、前記第１のアプリケーションに対応する第１のアプリケーションサーバから該ユーザーの前記第１のアプリケーションにおける第１の権限制御情報を取得し、且つ前記第２のアプリケーションに対応する第２のアプリケーションサーバから該ユーザーの前記第２のアプリケーションにおける第２の権限制御情報を取得し、且つ該ユーザーの前記第２のアプリケーションにおける第２の権限制御情報が、該ユーザーの前記第１のアプリケーションにおける第１の権限制御情報と異なる
ことを特徴とする請求項８に記載のアプリケーションログイン制御方法。
【請求項１０】
前記ポータルシステムと前記第１のアプリケーションとの間に第１の認証キーが予め設定され、前記ポータルシステムと前記第２のアプリケーションとの間に第２の認証キーが予め設定され、且つ前記第１の認証キーが前記第２の認証キーと異なる
ことを特徴とする請求項８に記載のアプリケーションログイン制御方法。
【請求項１１】
前記第２のアプリケーションサーバに前記第２の認証キーのバックアップが記憶され、前記ポータルシステムから伝達された第２の認証キーが前記第２のアプリケーションサーバに記憶されている前記第２の認証キーのバックアップと同じであれば、該ユーザーの前記第２のアプリケーションにおける操作権限の認証が通過すると決定する
ことを特徴とする請求項８に記載のアプリケーションログイン制御方法。
【請求項１２】
前記第２のアプリケーションサーバに前記第２の認証キーのバックアップが記憶され、前記ポータルシステムから伝達された第２の認証キーが前記第２のアプリケーションサーバに記憶されている前記第２の認証キーのバックアップと同じであれば、該ユーザーの前記第２のアプリケーションにおける操作権限の認証が通過すると決定する
ことを特徴とする請求項９に記載のアプリケーションログイン制御方法。
【請求項１３】
前記第２のアプリケーションサーバに前記第２の認証キーのバックアップが記憶され、前記ポータルシステムから伝達された第２の認証キーが前記第２のアプリケーションサーバに記憶されている前記第２の認証キーのバックアップと同じであれば、該ユーザーの前記第２のアプリケーションにおける操作権限の認証が通過すると決定する
ことを特徴とする請求項１０に記載のアプリケーションログイン制御方法。
【請求項１４】
該ユーザーが前記ポータルシステムの第２のアプリケーションから第１のアプリケーションに切り替える時、前記ポータルシステムは、前記ポータルシステムと第１のアプリケーションとの間の第１の認証キーを前記第１のアプリケーションに対応する第１のアプリケーションサーバに伝達するステップと、
前記ポータルシステムから伝達された第１の認証キーが前記第１のアプリケーションサーバに記憶されている前記第１の認証キーのバックアップと同じであれば、該ユーザーの前記第１のアプリケーションにおける操作権限の認証が通過すると決定するステップと、
をさらに含むことを特徴とする請求項１１乃至１３のいずれか一項に記載のアプリケーションログイン制御方法。
【請求項１５】
コンピュータ読み取り可能な記憶媒体であって、少なくとも１つのプロセッサによって実行可能なアプリケーションログイン制御システムが記憶され、前記アプリケーションログイン制御システムが前記プロセッサによって実行される時に、
ユーザーがポータルシステムにログインして該ポータルシステムの第１のアプリケーションにアクセスする時、該ユーザーの前記第１のアプリケーションにおける第１の権限制御情報を取得するステップと、
該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバに伝達し、且つ前記第２のアプリケーションサーバが前記ポータルシステムから伝達された第２の認証キーに基づいて該ユーザーの前記第２のアプリケーションにおける操作権限を認証する認証結果を受信するステップと、
該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行するステップと、
を実現することを特徴とするコンピュータ読み取り可能な記憶媒体。
【請求項１６】
前記ポータルシステムは、前記第１のアプリケーションに対応する第１のアプリケーションサーバから該ユーザーの前記第１のアプリケーションにおける第１の権限制御情報を取得し、且つ前記第２のアプリケーションに対応する第２のアプリケーションサーバから該ユーザーの前記第２のアプリケーションにおける第２の権限制御情報を取得し、且つ該ユーザーの前記第２のアプリケーションにおける第２の権限制御情報が、該ユーザーの前記第１のアプリケーションにおける第１の権限制御情報と異なる
ことを特徴とする請求項１５に記載のコンピュータ読み取り可能な記憶媒体。
【請求項１７】
前記ポータルシステムと前記第１のアプリケーションとの間に第１の認証キーが予め設定され、前記ポータルシステムと前記第２のアプリケーションとの間に第２の認証キーが予め設定され、且つ前記第１の認証キーが前記第２の認証キーと異なる
ことを特徴とする請求項１５に記載のコンピュータ読み取り可能な記憶媒体。
【請求項１８】
前記第２のアプリケーションサーバに前記第２の認証キーのバックアップが記憶され、前記ポータルシステムから伝達された第２の認証キーが前記第２のアプリケーションサーバに記憶されている前記第２の認証キーのバックアップと同じであれば、該ユーザーの前記第２のアプリケーションにおける操作権限の認証が通過すると決定する
ことを特徴とする請求項１５に記載のコンピュータ読み取り可能な記憶媒体。
【請求項１９】
前記第２のアプリケーションサーバに前記第２の認証キーのバックアップが記憶され、前記ポータルシステムから伝達された第２の認証キーが前記第２のアプリケーションサーバに記憶されている前記第２の認証キーのバックアップと同じであれば、該ユーザーの前記第２のアプリケーションにおける操作権限の認証が通過すると決定する
ことを特徴とする請求項１６又は１７に記載のコンピュータ読み取り可能な記憶媒体。
【請求項２０】
前記アプリケーションログイン制御システムが前記プロセッサによって実行される時に、
該ユーザーが前記ポータルシステムの第２のアプリケーションから第１のアプリケーションに切り替える時、前記ポータルシステムは、前記ポータルシステムと第１のアプリケーションとの間の第１の認証キーを前記第１のアプリケーションに対応する第１のアプリケーションサーバに伝達するステップと、
前記ポータルシステムから伝達された第１の認証キーが前記第１のアプリケーションサーバに記憶されている前記第１の認証キーのバックアップと同じであれば、該ユーザーの前記第１のアプリケーションにおける操作権限の認証が通過すると決定するステップと、
をさらに実現することを特徴とする請求項１９に記載のコンピュータ読み取り可能な記憶媒体。
【発明の詳細な説明】
【技術分野】
【０００１】
「関連出願の相互参照」
本願は、２０１７年６月２５日に中国知識財産局に出願された、中国特許出願第２０１７１０４９０４２４．４号の「アプリケーションログイン制御方法、サービス端末及びコンピュータ読み取り可能な記憶媒体」と題する中国特許出願の優先権を主張し、当該出願の全体が参照によりここに組み込まれる。
【０００２】
本願は、コンピュータ情報技術分野に関し、特にアプリケーションログイン制御方法、サービス端末及びコンピュータ読み取り可能な記憶媒体に関する。
【背景技術】
【０００３】
１つの統一されたポータルに複数の異なるアプリケーションが存在する時、通常、ユーザーの複数回のログインを避けるために、シングルサインオン（Ｓｉｎｇｌｅ  Ｓｉｇｎ  ｏｎ、ＳＳＯ）を行う必要があり、このような場合にユーザーの情報と権限制御は異なるアプリケーションにおいて一致する。しかしながら、異なるアプリケーション間においてユーザーの情報と権限制御が異なると、ユーザーは異なるアプリケーションに複数回ログインする必要がある。よって、従来技術において異なる権限のアプリケーション間で複数回ログインするという処理方式は、柔軟性が不十分で、改善の必要性がある。
【発明の概要】
【発明が解決しようとする課題】
【０００４】
これに鑑み、本願は、アプリケーションログイン制御方法、サービス端末及びコンピュータ読み取り可能な記憶媒体を提供し、異なる操作権限のアプリケーション間のログイン制御のユーザーに対する遮蔽の技術的効果を実現でき、ユーザーが複数回ログインする必要がなく、安全で便利である。
【課題を解決するための手段】
【０００５】
まず、上記の目的を達成すべく、本願は、サービス端末を提供し、前記サービス端末は、記憶装置と、プロセッサと、前記記憶装置に記憶され且つ前記プロセッサに実行可能なアプリケーションログイン制御システムと、を含み、前記アプリケーションログイン制御システムが前記プロセッサによって実行される時に、
ユーザーがポータルシステムにログインして該ポータルシステムの第１のアプリケーションにアクセスする時、該ユーザーの前記第１のアプリケーションにおける第１の権限制御情報を取得するステップと、
該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバに伝達し、且つ前記第２のアプリケーションサーバが前記ポータルシステムから伝達された第２の認証キーに基づいて該ユーザーの前記第２のアプリケーションにおける操作権限を認証する認証結果を受信するステップと、
該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行するステップと、を実現する。
【０００６】
また、上記の目的を達成すべく、本願は、さらにサービス端末に適用されるアプリケーションログイン制御方法を提供し、前記方法は、
ユーザーがポータルシステムにログインして該ポータルシステムの第１のアプリケーションにアクセスする時、該ユーザーの前記第１のアプリケーションにおける第１の権限制御情報を取得することと、
該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバに伝達し、且つ前記第２のアプリケーションサーバが前記ポータルシステムから伝達された第２の認証キーに基づいて該ユーザーの前記第２のアプリケーションにおける操作権限を認証する認証結果を受信することと、
該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行することと、を含む。
【０００７】
さらに、上記の目的を達成すべく、本願は、さらにアプリケーションログイン制御システムが記憶されるコンピュータ読み取り可能な記憶媒体を提供し、前記アプリケーションログイン制御システムが少なくとも１つのプロセッサによって実行され、これによって前記少なくとも１つのプロセッサが上記アプリケーションログイン制御方法のステップを実行する。
【発明の効果】
【０００８】
従来の技術と比べて、本願にて提供するサービス端末、アプリケーションログイン制御方法及びコンピュータ読み取り可能な記憶媒体は、ポータルシステムと異なるアプリケーションとの間の認証キーを予め設定することにより、ユーザーがポータルシステムの第１のアプリケーションから異なる操作権限の第２のアプリケーションに切り替える時、前記ポータルシステムは、前記予め設定された認証キーに基づいて、該ユーザーが前記第２のアプリケーションにおける操作権限を備えるか否かを自動的に認証し、認証が通過すれば、該ユーザーの前記第２のアプリケーションにおける第２の権限制御情報を取得し、該ユーザーの前記第２のアプリケーションにおける対応する操作を実行し、認証プロセス全体をポータルシステムと異なるアプリケーションとの間に自動的に完了し、異なる操作権限のアプリケーション間のログイン制御のユーザーに対する遮蔽効果を実現し、ユーザーが複数回ログインする必要がなく、安全で便利である。
【図面の簡単な説明】
【０００９】
【図１】本願の各実施例の選択可能なアプリケーション環境の模式図である。
【図２】図１におけるサービス端末の選択可能なハードウェアアーキテクチャの模式図である。
【図３】本願のアプリケーションログイン制御システムの一実施例の機能モジュールを示す模式図である。
【図４】本願のアプリケーションログイン制御方法の一実施例の実施の流れを示す模式図である。
【発明を実施するための形態】
【００１０】
以下、実施例及び図面を踏まえて、本願の目的の達成、機能上の特徴及び利点を詳しく説明する。
【００１１】
本願の目的、技術的解決手段及び利点をより明確にするために、以下にて実施例及び図面を踏まえて本願を詳細に説明する。ただし、本明細書に記載された実施例は、本願を説明するためのものに過ぎず、本願を限定するためのものではない。当業者であれば、本願の実施例に基づき、創造的な労働をすることなく得られる他の全ての実施例は、本願の保護範囲に含まれるものとする。
【００１２】
なお、本明細書における「第１」、「第２」などの語彙は、記載上の便宜を図るためのものに過ぎず、重要性を示唆するものでも、技術的特徴の数量を表すものでもない。これにより、「第１」及び「第２」により限定される特徴は、明示的、又は、黙示的に、少なくとも1つの当該特徴を含むものである。また、各実施例による技術的解決手段を互いに組み合わせることができるが、ただし、当業者が実現できる範囲に限られ、技術的解決手段を組み合わせることにより矛盾が生じたり、実現できなかったりする場合、当該技術的解決手段の組み合わせを認めず、本願が請求する保護範囲にないものとする。
【００１３】
なお、本明細書において、用語「含む」、「含有する」又はそれらの任意の他の変形は、非排他的に含むことを意図し、それにより一連の要素を含むプロセス、方法、品物や装置はそれらの要素を含むだけでなく、且つ明確に列挙された他の要素を含み、又はこのようなプロセス、方法、品物や装置に固有の要素をさらに含む。より多くの制限がない場合に、語句「一つの…を含む」に限定される要素は、前記要素を含むプロセス、方法、品物や装置の中に他の同じ要素がさらに存在する場合は除外されない。
【００１４】
図１に示すように、本願の各実施例の選択可能なアプリケーション環境の模式図である。
【００１５】
本実施例において、本願は、サービス端末２、ネットワーク３、第１のアプリケーションサーバ４、及び第２のアプリケーションサーバ５を含むが、これらに限定されないアプリケーション環境に適用できる。ただし、前記サービス端末２は、ラックサーバ、ブレードサーバ、タワーサーバ又はキャビネットサーバなどのコンピューティングデバイスであってもよく、該サービス端末２は、独立するサーバであってもよく、複数のサーバで構成されたサーバクラスターであってもよい。前記ネットワーク３は、イントラネット（Ｉｎｔｒａｎｅｔ）、インターネット（Ｉｎｔｅｒｎｅｔ）、グローバルシステムフォーモバイル（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、４Ｇネットワーク、５Ｇネットワーク、ブルートゥース（Ｂｌｕｅｔｏｏｔｈ）（登録商標）、Ｗｉ−Ｆｉなどの無線又は有線ネットワークであってもよい。
【００１６】
ただし、前記サービス端末２は、前記ネットワーク３を介してそれぞれ前記第１のアプリケーションサーバ４と第２のアプリケーションサーバ５に通信可能に接続され、前記第１のアプリケーションサーバ４と第２のアプリケーションサーバ５に前記サービス端末２に対応するアプリケーションプログラムサービス端末（以下単に「モバイル端末クライアント」と称す）がいずれもインストールされて実行される。前記アプリケーションプログラムサービス端末は、サービス端末２のユーザー操作に応答することに用いられ、前記第１のアプリケーションサーバ４、第２のアプリケーションサーバ５と前記サービス端末２との間に長接続を作成することで、前記第１のアプリケーションサーバ４、第２のアプリケーションサーバ５が前記長接続により前記サービス端末２にデータ伝送と交換を行う。
【００１７】
図２に示すのは、図１におけるサービス端末２の選択可能なハードウェアアーキテクチャの模式図である。本実施例において、前記サービス端末２は、システムバスにより相互に通信可能に接続される記憶装置２１、プロセッサ２２、ネットワークインタフェース２３を含むが、これらに限定されない。なお、図２は、コンポーネント２１−２３を有するサービス端末２のみを示すが、示される全てのコンポーネントを実施することは要求されず、その代わりにより多いか又は少ないコンポーネントを実施できると理解すべきである。
【００１８】
ただし、前記記憶装置２１は、少なくとも１種類の読み取り可能な記憶媒体を含み、前記読み取り可能な記憶媒体は、フラッシュメモリ、ハードディスク、マルチメディアカード、カード型メモリ（例えば、ＳＤ又はＤＸメモリなど）、ランダムアクセスメモリ（ＲＡＭ）、スタティックランダムアクセスメモリ（ＳＲＡＭ）、読み取り専用メモリ（ＲＯＭ）、電気的に消去可能なプログラマブル読み取り専用メモリ（ＥＥＰＲＯＭ）、プログラマブル読み取り専用メモリ（ＰＲＯＭ）、磁気メモリ、磁気ディスク、光ディスクなどを含む。いくつかの実施例では、前記記憶装置２１は、前記サービス端末２の内部記憶ユニット、例えば該サービス端末２のハードディスク又はメモリであってもよい。別の実施例では、前記記憶装置２１は、前記サービス端末２の外部記憶デバイス、例えば該サービス端末２に搭載された外付けハードディスク、スマートメディアカード（Ｓｍａｒｔ  Ｍｅｄｉａ(登録商標)  Ｃａｒｄ、ＳＭＣ）、セキュアデジタル（Ｓｅｃｕｒｅ  Ｄｉｇｉｔａｌ、ＳＤ）カード、フラッシュカード（Ｆｌａｓｈ  Ｃａｒｄ）などであってもよい。もちろん、前記記憶装置２１は、前記サービス端末２の内部記憶ユニット及び外部記憶デバイスの両方を含んでもよい。本実施例では、前記記憶装置２１は、一般的に、前記サービス端末２にインストールされるオペレーティングシステム及び各種アプリケーションソフトウェア、例えば、前記アプリケーションログイン制御システム２０のプログラムコードなどを記憶することに用いられる。また、前記記憶装置２１は、すでに出力されたか又は出力される各種データを一時的に記憶することにも用いられる。
【００１９】
いくつかの実施例では、前記プロセッサ２２は、中央処理装置（Ｃｅｎｔｒａｌ  Ｐｒｏｃｅｓｓｉｎｇ  Ｕｎｉｔ、ＣＰＵ）、コントローラ、マイクロコントローラ、マイクロプロセッサ、又はその他のデータ処理チップであってもよい。該プロセッサ２２は、一般的に、前記サービス端末２全体の操作、例えば、前記サービス端末２とのデータ交換又は通信に関連する制御及び処理などの実行を制御することに用いられる。本実施例では、前記プロセッサ２２は、前記記憶装置２１に記憶されているプログラムコードを実行し又はデータを処理し、例えば、前記アプリケーションログイン制御システム２０などを実行することに用いられる。
【００２０】
前記ネットワークインタフェース２３は、無線ネットワークインタフェース、又は有線ネットワークインタフェースを含んでもよく、該ネットワークインタフェース２３は、一般的に、前記サービス端末２とその他の電子機器との間に通信接続を作成することに用いられる。本実施例では、前記ネットワークインタフェース２３は、主に前記ネットワーク３を介して前記サービス端末２と前記第１のアプリケーションサーバ４、第２のアプリケーションサーバ５を接続させることで、前記サービス端末２と前記第１のアプリケーションサーバ４、第２のアプリケーションサーバ５との間にデータ伝送チャンネル及び通信接続を作成することに用いられる。
【００２１】
ここまで、本願の各実施例のアプリケーション環境及び関連機器のハードウェア構成と機能を詳細に説明した。以下では、上記アプリケーション環境及び関連機器に基づいて、本願の各実施例を提供する。
【００２２】
まず、本願は、アプリケーションログイン制御システム２０を提供する。
【００２３】
図３に示すように、本願のアプリケーションログイン制御システム２０の一実施例の機能モジュールを示す模式図である。本実施例において、前記アプリケーションログイン制御システム２０は、１つ又は複数のモジュールに分割されてもよく、前記１つ又は複数のモジュールは、前記記憶装置２１に記憶され、１つ又は複数のプロセッサ（本実施例では前記プロセッサ２２）によって実行されることで、本願を完了する。例えば、図３において、前記アプリケーションログイン制御システム２０は、情報取得モジュール２０１、権限認証モジュール２０２、及び実行モジュール２０３に分割されてもよい。本願で言う機能モジュールとは、特定の機能を完了できる一連のコンピュータコマンドセグメントである。機能モジュールは、プログラムに比べて、前記アプリケーションログイン制御システム２０の前記サービス端末２における実行プロセスを説明するのに、より適切である。以下では、各機能モジュール２０１−２０３の機能を詳細に説明する。
【００２４】
前記情報取得モジュール２０１は、ユーザーがポータルシステムにログインして該ポータルシステムの第１のアプリケーションにアクセスする時、該ユーザーの前記第１のアプリケーションにおける第１の権限制御情報を取得することに用いられる。本実施例において、該ポータルシステムは、サービス端末（例えば１台のポータルサーバ）に設置され、該ユーザーは、該ポータルシステムの管理者であってもよく、該ユーザーは、ユーザー名とパスワードを入力することにより該ポータルシステムにログインしてさらに該ポータルシステムの第１のアプリケーションにアクセスすることができる。
【００２５】
好ましくは、本実施例において、該ユーザーの前記第１のアプリケーションにおける第１の権限制御情報は、該ユーザーの前記第１のアプリケーションにおける第１の操作権限を含むが、これに限定されず、例えば、該ユーザーは、前記第１のアプリケーションにおいてデータ資料の検索及び修正を行うことができる。
【００２６】
好ましくは、本実施例において、該ユーザーの前記第１のアプリケーションにおける第１の権限制御情報は、前記第１のアプリケーションに対応する第１のアプリケーションサーバ４に記憶される。該ユーザーが前記ポータルシステムの第１のアプリケーションにログインする時、前記ポータルシステムは、前記第１のアプリケーションサーバ４から該ユーザーの前記第１のアプリケーションにおける第１の権限制御情報を取得する。なお、他の実施例において、該ユーザーの前記第１のアプリケーションにおける第１の権限制御情報は、前記ポータルシステムが位置するサービス端末の記憶ユニットに記憶されてもよい。
【００２７】
前記権限認証モジュール２０２は、該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバ５に伝達し、且つ前記第２のアプリケーションサーバ５が前記ポータルシステムから伝達された第２の認証キーに基づいて該ユーザーの前記第２のアプリケーションにおける操作権限を認証する認証結果を受信することに用いられる。
【００２８】
好ましくは、本実施例において、前記ポータルシステムと前記第１のアプリケーションと間に第１の認証キーが予め設定され、前記ポータルシステムと前記第２のアプリケーションとの間に第２の認証キーが予め設定され、且つ前記第１の認証キーが前記第２の認証キーと異なり、即ち前記ポータルシステムと異なるアプリケーションとの間に異なる認証キーが予め設定され且つ前記ポータルシステムに記憶される。さらに、前記第１のアプリケーションサーバ４に前記第１の認証キーのバックアップが記憶され、前記第２のアプリケーションサーバ５に前記第２の認証キーのバックアップが記憶される。該ユーザーが前記ポータルシステムの第１のアプリケーションから第２のアプリケーションに切り替える時、前記ポータルシステムは、前記第２の認証キーを前記第２のアプリケーションサーバ５に伝達し、前記第２のアプリケーションサーバ５は、前記ポータルシステムから伝達された第２の認証キーに基づいて該ユーザーの前記第２のアプリケーションにおける操作権限を認証する。前記ポータルシステムから伝達された第２の認証キーが前記第２のアプリケーションサーバ５に記憶されている前記第２の認証キーのバックアップと同じであれば、該ユーザーの前記第２のアプリケーションにおける操作権限の認証が通過すると決定する。
【００２９】
好ましくは、他の実施例において、該ユーザーが前記ポータルシステムの第２のアプリケーションから第１のアプリケーションに切り替える時、前記ポータルシステムは、前記ポータルシステムと第１のアプリケーションとの間の第１の認証キーを前記第１のアプリケーションに対応する第１のアプリケーションサーバ４に伝達し、前記第１のアプリケーションサーバ４は、前記ポータルシステムから伝達された第１の認証キーに基づいて該ユーザーの前記第１のアプリケーションにおける操作権限を認証する。前記ポータルシステムから伝達された第１の認証キーが前記第１のアプリケーションサーバ４に記憶されている前記第１の認証キーのバックアップと同じであれば、該ユーザーの前記第１のアプリケーションにおける操作権限の認証が通過すると決定する。
【００３０】
なお、他の実施例において、前記第１の認証キーは、前記第２の認証キーと同じであるように設定されてもよく、即ち前記ポータルシステムと異なるアプリケーションとの間に同じ認証キーが予め設定され且つ前記ポータルシステムに記憶される。さらに、前記第１のアプリケーションと第２のアプリケーションは、同一台のアプリケーションサーバに設置されてもよく、さらに前記ポータルシステム、前記第１のアプリケーションと第２のアプリケーションは、いずれも同一台のサーバ（例えばサービス端末）に設置されてもよい。
【００３１】
前記実行モジュール２０３は、該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行することに用いられる。
【００３２】
好ましくは、本実施例において、該ユーザーの前記第２のアプリケーションにおける第２の権限制御情報は、該ユーザーの前記第２のアプリケーションにおける第２の操作権限を含むが、これに限定されず、例えば、該ユーザーは、前記第２のアプリケーションにおいてデータ資料の検索、修正及び削除を行うことができる。本実施例において、該ユーザーの前記第２のアプリケーションにおける第２の権限制御情報は、該ユーザーの前記第１のアプリケーションにおける第１の権限制御情報と異なる。
【００３３】
好ましくは、本実施例において、該ユーザーの前記第２のアプリケーションにおける第２の権限制御情報は、前記第２のアプリケーションに対応する第２のアプリケーションサーバ５に記憶される。該ユーザーが前記ポータルシステムの第１のアプリケーションから第２のアプリケーションに切り替える時、前記ポータルシステムは、前記第２のアプリケーションサーバ５から該ユーザーの前記第２のアプリケーションにおける第２の権限制御情報を取得する。なお、他の実施例において、該ユーザーの前記第２のアプリケーションにおける第２の権限制御情報は、前記ポータルシステムが位置するサービス端末の記憶ユニットに記憶されてもよい。
【００３４】
ユーザーが第１のアプリケーションから操作権限の異なる第２のアプリケーションに切り替える時、前記ポータルシステムは、該ユーザーが前記第２のアプリケーションにおける操作権限を備えるか否かを自動的に認証し、認証が通過すれば、該ユーザーの前記第２のアプリケーションにおける第２の権限制御情報を取得し、該ユーザーの前記第２のアプリケーションにおける対応する操作を実行し、認証プロセス全体をポータルシステムと異なるアプリケーションとの間に自動的に完了し、異なる操作権限のアプリケーション間のログイン制御のユーザーに対する遮蔽効果を実現し、ユーザーが複数回ログインする必要がなく、安全で便利である。
【００３５】
上記機能モジュール２０１−２０３によって、本願にて提供するアプリケーションログイン制御システム２０は、ポータルシステムと異なるアプリケーションとの間の認証キーを予め設定することにより、ユーザーがポータルシステムの第１のアプリケーションから異なる操作権限の第２のアプリケーションに切り替える時、前記ポータルシステムは、前記予め設定された認証キーに基づいて、該ユーザーが前記第２のアプリケーションにおける操作権限を備えるか否かを自動的に認証し、認証が通過すれば、該ユーザーの前記第２のアプリケーションにおける第２の権限制御情報を取得し、該ユーザーの前記第２のアプリケーションにおける対応する操作を実行し、認証プロセス全体をポータルシステムと異なるアプリケーションとの間に自動的に完了し、異なる操作権限のアプリケーション間のログイン制御のユーザーに対する遮蔽効果を実現し、ユーザーが複数回ログインする必要がなく、安全で便利である。
【００３６】
また、本願は、さらにアプリケーションログイン制御方法を提供する。
【００３７】
図４に示すように、本願のアプリケーションログイン制御方法の一実施例の実施の流れを示す模式図である。本実施例において、異なるニーズに応じて、図４に示すフローチャートにおけるステップの実行の順序が変更されてもよいし、またいくつかのステップが省略されてもよい。
【００３８】
ステップＳ４１では、ユーザーがポータルシステムにログインして該ポータルシステムの第１のアプリケーションにアクセスする時、該ユーザーの前記第１のアプリケーションにおける第１の権限制御情報を取得する。本実施例において、該ポータルシステムは、サービス端末（例えば１台のポータルサーバ）に設置され、該ユーザーは、該ポータルシステムの管理者であってもよく、該ユーザーは、ユーザー名とパスワードを入力することにより該ポータルシステムにログインしてさらに該ポータルシステムの第１のアプリケーションにアクセスすることができる。
【００３９】
好ましくは、本実施例において、該ユーザーの前記第１のアプリケーションにおける第１の権限制御情報は、該ユーザーの前記第１のアプリケーションにおける第１の操作権限を含むが、これに限定されず、例えば、該ユーザーは、前記第１のアプリケーションにおいてデータ資料の検索及び修正を行うことができる。
【００４０】
好ましくは、本実施例において、該ユーザーの前記第１のアプリケーションにおける第１の権限制御情報は、前記第１のアプリケーションに対応する第１のアプリケーションサーバ４に記憶される。該ユーザーが前記ポータルシステムの第１のアプリケーションにログインする時、前記ポータルシステムは、前記第１のアプリケーションサーバ４から該ユーザーの前記第１のアプリケーションにおける第１の権限制御情報を取得する。なお、他の実施例において、該ユーザーの前記第１のアプリケーションにおける第１の権限制御情報は、前記ポータルシステムが位置するサービス端末の記憶ユニットに記憶されてもよい。
【００４１】
ステップＳ４２では、該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバ５に伝達し、且つ前記第２のアプリケーションサーバ５が前記ポータルシステムから伝達された第２の認証キーに基づいて該ユーザーの前記第２のアプリケーションにおける操作権限を認証する認証結果を受信する。
【００４２】
好ましくは、本実施例において、前記ポータルシステムと前記第１のアプリケーションと間に第１の認証キーが予め設定され、前記ポータルシステムと前記第２のアプリケーションとの間に第２の認証キーが予め設定され、且つ前記第１の認証キーが前記第２の認証キーと異なり、即ち前記ポータルシステムと異なるアプリケーションとの間に異なる認証キーが予め設定され且つ前記ポータルシステムに記憶される。さらに、前記第１のアプリケーションサーバ４に前記第１の認証キーのバックアップが記憶され、前記第２のアプリケーションサーバ５に前記第２の認証キーのバックアップが記憶される。該ユーザーが前記ポータルシステムの第１のアプリケーションから第２のアプリケーションに切り替える時、前記ポータルシステムは、前記第２の認証キーを前記第２のアプリケーションサーバ５に伝達し、前記第２のアプリケーションサーバ５は、前記ポータルシステムから伝達された第２の認証キーに基づいて該ユーザーの前記第２のアプリケーションにおける操作権限を認証する。前記ポータルシステムから伝達された第２の認証キーが前記第２のアプリケーションサーバ５に記憶されている前記第２の認証キーのバックアップと同じであれば、該ユーザーの前記第２のアプリケーションにおける操作権限の認証が通過すると決定する。
【００４３】
好ましくは、他の実施例において、該ユーザーが前記ポータルシステムの第２のアプリケーションから第１のアプリケーションに切り替える時、前記ポータルシステムは、前記ポータルシステムと第１のアプリケーションとの間の第１の認証キーを前記第１のアプリケーションに対応する第１のアプリケーションサーバ４に伝達し、前記第１のアプリケーションサーバ４は、前記ポータルシステムから伝達された第１の認証キーに基づいて該ユーザーの前記第１のアプリケーションにおける操作権限を認証する。前記ポータルシステムから伝達された第１の認証キーが前記第１のアプリケーションサーバ４に記憶されている前記第１の認証キーのバックアップと同じであれば、該ユーザーの前記第１のアプリケーションにおける操作権限の認証が通過すると決定する。
【００４４】
なお、他の実施例において、前記第１の認証キーは、前記第２の認証キーと同じであるように設定されてもよく、即ち前記ポータルシステムと異なるアプリケーションとの間に同じ認証キーが予め設定され且つ前記ポータルシステムに記憶される。さらに、前記第１のアプリケーションと第２のアプリケーションは、同一台のアプリケーションサーバに設置されてもよく、さらに前記ポータルシステムにおける前記第１のアプリケーションと第２のアプリケーションは、いずれも同一台のサーバ（例えばサービス端末）に設置されてもよい。
【００４５】
ステップＳ４３では、該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行する。
【００４６】
好ましくは、本実施例において、該ユーザーの前記第２のアプリケーションにおける第２の権限制御情報は、該ユーザーの前記第２のアプリケーションにおける第２の操作権限を含むが、これに限定されず、例えば、該ユーザーは、前記第２のアプリケーションにおいてデータ資料の検索、修正及び削除を行うことができる。本実施例において、該ユーザーの前記第２のアプリケーションにおける第２の権限制御情報は、該ユーザーの前記第１のアプリケーションにおける第１の権限制御情報と異なる。
【００４７】
好ましくは、本実施例において、該ユーザーの前記第２のアプリケーションにおける第２の権限制御情報は、前記第２のアプリケーションに対応する第２のアプリケーションサーバ５に記憶される。該ユーザーが前記ポータルシステムの第１のアプリケーションから第２のアプリケーションに切り替える時、前記ポータルシステムは、前記第２のアプリケーションサーバ５から該ユーザーの前記第２のアプリケーションにおける第２の権限制御情報を取得する。なお、他の実施例において、該ユーザーの前記第２のアプリケーションにおける第２の権限制御情報は、前記ポータルシステムが位置するサービス端末の記憶ユニットに記憶されてもよい。
【００４８】
ユーザーが第１のアプリケーションから操作権限の異なる第２のアプリケーションに切り替える時、前記ポータルシステムは、該ユーザーが前記第２のアプリケーションにおける操作権限を備えるか否かを自動的に認証し、認証が通過すれば、該ユーザーの前記第２のアプリケーションにおける第２の権限制御情報を取得し、該ユーザーの前記第２のアプリケーションにおける対応する操作を実行し、認証プロセス全体をポータルシステムと異なるアプリケーションとの間に自動的に完了し、異なる操作権限のアプリケーション間のログイン制御のユーザーに対する遮蔽効果を実現し、ユーザーが複数回ログインする必要がなく、安全で便利である。
【００４９】
上記ステップＳ４１−Ｓ４３によって、本願にて提供するアプリケーションログイン制御方法は、ポータルシステムと異なるアプリケーションとの間の認証キーを予め設定することにより、ユーザーがポータルシステムの第１のアプリケーションから異なる操作権限の第２のアプリケーションに切り替える時、前記ポータルシステムは、前記予め設定された認証キーに基づいて、該ユーザーが前記第２のアプリケーションにおける操作権限を備えるか否かを自動的に認証し、認証が通過すれば、該ユーザーの前記第２のアプリケーションにおける第２の権限制御情報を取得し、該ユーザーの前記第２のアプリケーションにおける対応する操作を実行し、認証プロセス全体をポータルシステムと異なるアプリケーションとの間に自動的に完了し、異なる操作権限のアプリケーション間のログイン制御のユーザーに対する遮蔽効果を実現し、ユーザーが複数回ログインする必要がなく、安全で便利である。
【００５０】
さらに、上記目的を実現するために、本願は、さらにアプリケーションログイン制御システムが記憶されるコンピュータ読み取り可能な記憶媒体（例えば、ＲＯＭ／ＲＡＭ、磁気ディスク、光ディスク）を提供し、前記アプリケーションログイン制御システムが少なくとも１つのプロセッサによって実行され、これによって前記少なくとも１つのプロセッサが上記アプリケーションログイン制御方法のステップを実行する。
【００５１】
以上の実施形態の説明により、当業者であれば上記実施例の方法をソフトウェア及び必要な汎用のハードウェアプラットフォームの方式により実現できることが明らかであり、ハードウェアにより実現できることも当然であるが、多くの場合に前者が好適な実施方式である。このような理解に基づき、本願の技術的解決手段は本質的又は従来技術に寄与する部分がソフトウェア製品の形式で実施でき、該コンピュータソフトウェア製品は記憶媒体（例えば、ＲＯＭ／ＲＡＭ、磁気ディスク、光ディスク）に記憶され、１台の端末設備（携帯電話、コンピュータ、サーバ、空調設備、又はネットワーク設備などであってもよい）で本願の各実施例の前記方法を実行するように複数のコマンドを含む。
【００５２】
以上にて図面を参照しながら本願の好ましい実施例を説明したが、これをもって本願の特許請求の範囲を限定するものではなく、本願の実施例に付与した番号は、記載上の便宜を図るためのものに過ぎず、実施例の優劣を示すものではない。また、フローチャートでは論理的な順序を示しているが、特定の状況においては、記載されたステップを異なる順序で実行することもできる。
【００５３】
当業者であれば、本願の範囲及び趣旨から逸脱しない範囲で、種々の変更を加えて本願を実現でき、例えば、一つの実施例の特徴を別の実施例に組み込むことで、もう一つの実施例を得ることができる。本願の明細書及び図面に準じてなされた同等の構造上もしくは手順上の変更、又はその他の関係技術分野への直接的もしくは間接的な適用は、すべて本願の特許請求の範囲に含まれるものとする。
【符号の説明】
【００５４】
２…サービス端末，３…ネットワーク，４…第１のアプリケーションサーバ，５…第２のアプリケーションサーバ，２１…記憶装置，２２…プロセッサ，２３…ネットワークインタフェース，２０…アプリケーションログイン制御システム，２０１…情報取得モジュール，２０２…権限認証モジュール，２０３…実行モジュール
【図１】
2019523465.tif 000003
【図２】
2019523465.tif 000004
【図３】
2019523465.tif 000005
【図４】
2019523465.tif 000006
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
サービス端末であって、記憶装置と、プロセッサと、前記記憶装置に記憶され且つ前記プロセッサに実行可能なアプリケーションログイン制御システムと、を含み、前記アプリケーションログイン制御システムが前記プロセッサによって実行される時に、
ユーザーがポータルシステムにログインして該ポータルシステムの第１のアプリケーションにアクセスする時、該ユーザーの前記第１のアプリケーションにおける第１の権限制御情報を取得するステップと、
該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバに伝達し、且つ前記第２のアプリケーションサーバが前記ポータルシステムから伝達された第２の認証キーに基づいて該ユーザーの前記第２のアプリケーションにおける操作権限を認証する認証結果を受信するステップと、
該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行するステップと、
を実現することを特徴とするサービス端末。
【請求項２】
前記ポータルシステムは、前記第１のアプリケーションに対応する第１のアプリケーションサーバから該ユーザーの前記第１のアプリケーションにおける第１の権限制御情報を取得し、且つ前記第２のアプリケーションに対応する第２のアプリケーションサーバから該ユーザーの前記第２のアプリケーションにおける第２の権限制御情報を取得し、且つ該ユーザーの前記第２のアプリケーションにおける第２の権限制御情報が、該ユーザーの前記第１のアプリケーションにおける第１の権限制御情報と異なる
ことを特徴とする請求項１に記載のサービス端末。
【請求項３】
前記ポータルシステムと前記第１のアプリケーションとの間に第１の認証キーが予め設定され、前記ポータルシステムと前記第２のアプリケーションとの間に第２の認証キーが予め設定され、且つ前記第１の認証キーが前記第２の認証キーと異なる
ことを特徴とする請求項１に記載のサービス端末。
【請求項４】
前記第２のアプリケーションサーバに前記第２の認証キーのバックアップが記憶され、前記ポータルシステムから伝達された第２の認証キーが前記第２のアプリケーションサーバに記憶されている前記第２の認証キーのバックアップと同じであれば、該ユーザーの前記第２のアプリケーションにおける操作権限の認証が通過すると決定する
ことを特徴とする請求項１乃至３のいずれか一項に記載のサービス端末。
【請求項５】
前記アプリケーションログイン制御システムが前記プロセッサによって実行される時に、
該ユーザーが前記ポータルシステムの第２のアプリケーションから第１のアプリケーションに切り替える時、前記ポータルシステムは、前記ポータルシステムと第１のアプリケーションとの間の第１の認証キーを前記第１のアプリケーションに対応する第１のアプリケーションサーバに伝達するステップと、
前記ポータルシステムから伝達された第１の認証キーが前記第１のアプリケーションサーバに記憶されている前記第１の認証キーのバックアップと同じであれば、該ユーザーの前記第１のアプリケーションにおける操作権限の認証が通過すると決定するステップと、
をさらに実現することを特徴とする請求項４に記載のサービス端末。
【請求項６】
アプリケーションログイン制御方法であって、サービス端末に適用され、
ユーザーがポータルシステムにログインして該ポータルシステムの第１のアプリケーションにアクセスする時、該ユーザーの前記第１のアプリケーションにおける第１の権限制御情報を取得することと、
該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバに伝達し、且つ前記第２のアプリケーションサーバが前記ポータルシステムから伝達された第２の認証キーに基づいて該ユーザーの前記第２のアプリケーションにおける操作権限を認証する認証結果を受信することと、
該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行することと、
を含むことを特徴とするアプリケーションログイン制御方法。
【請求項７】
前記ポータルシステムは、前記第１のアプリケーションに対応する第１のアプリケーションサーバから該ユーザーの前記第１のアプリケーションにおける第１の権限制御情報を取得し、且つ前記第２のアプリケーションに対応する第２のアプリケーションサーバから該ユーザーの前記第２のアプリケーションにおける第２の権限制御情報を取得し、且つ該ユーザーの前記第２のアプリケーションにおける第２の権限制御情報が、該ユーザーの前記第１のアプリケーションにおける第１の権限制御情報と異なる
ことを特徴とする請求項６に記載のアプリケーションログイン制御方法。
【請求項８】
前記ポータルシステムと前記第１のアプリケーションとの間に第１の認証キーが予め設定され、前記ポータルシステムと前記第２のアプリケーションとの間に第２の認証キーが予め設定され、且つ前記第１の認証キーが前記第２の認証キーと異なる
ことを特徴とする請求項６に記載のアプリケーションログイン制御方法。
【請求項９】
前記第２のアプリケーションサーバに前記第２の認証キーのバックアップが記憶され、前記ポータルシステムから伝達された第２の認証キーが前記第２のアプリケーションサーバに記憶されている前記第２の認証キーのバックアップと同じであれば、該ユーザーの前記第２のアプリケーションにおける操作権限の認証が通過すると決定する
ことを特徴とする請求項６乃至８のいずれか一項に記載のアプリケーションログイン制御方法。
【請求項１０】
該ユーザーが前記ポータルシステムの第２のアプリケーションから第１のアプリケーションに切り替える時、前記ポータルシステムは、前記ポータルシステムと第１のアプリケーションとの間の第１の認証キーを前記第１のアプリケーションに対応する第１のアプリケーションサーバに伝達するステップと、
前記ポータルシステムから伝達された第１の認証キーが前記第１のアプリケーションサーバに記憶されている前記第１の認証キーのバックアップと同じであれば、該ユーザーの前記第１のアプリケーションにおける操作権限の認証が通過すると決定するステップと、
をさらに含むことを特徴とする請求項９に記載のアプリケーションログイン制御方法。
【請求項１１】
コンピュータ読み取り可能な記憶媒体であって、少なくとも１つのプロセッサによって実行可能なアプリケーションログイン制御システムが記憶され、前記アプリケーションログイン制御システムが前記プロセッサによって実行される時に、
ユーザーがポータルシステムにログインして該ポータルシステムの第１のアプリケーションにアクセスする時、該ユーザーの前記第１のアプリケーションにおける第１の権限制御情報を取得するステップと、
該ユーザーが前記ポータルシステムの第１のアプリケーションから第２のアプリケーションに切り替える時、前記ポータルシステムと前記第２のアプリケーションとの間に予め設定された第２の認証キーを前記第２のアプリケーションに対応する第２のアプリケーションサーバに伝達し、且つ前記第２のアプリケーションサーバが前記ポータルシステムから伝達された第２の認証キーに基づいて該ユーザーの前記第２のアプリケーションにおける操作権限を認証する認証結果を受信するステップと、
該ユーザーの前記第２のアプリケーションにおける操作権限の認証が通過すれば、該ユーザーの前記第２のアプリケーションにおける第２の権限制御情報を取得し、該ユーザーの前記第２のアプリケーションにおける対応する操作を実行するステップと、
を実現することを特徴とするコンピュータ読み取り可能な記憶媒体。
【国際調査報告】
2019523465.tif 000007
2019523465.tif 000008
2019523465.tif 000009
2019523465.tif 000010